(57)【特許請求の範囲】
【請求項１】
着用者の股部を含む領域に装着される吸収性物品であって、
排泄物を吸収する吸収コアと、
前記吸収コアの外面側に設けられる外装材と、
前記吸収コアの肌面側に設けられ、前記吸収コアと対向する部分の少なくとも一部は透液性を有する内装材と、
を備え、
前記内装材は、少なくとも一部の領域が肌面側に露出された表面シートを備え、
前記表面シートの肌面側に露出された領域の少なくとも一部は、
前記縦方向に沿って伸張された状態で前記表面シートに付与され、かつ前記縦方向に直交する横方向に間隔をあけて配置された複数の弾性部材と、
前記表面シートにおける隣接する前記弾性部材の間に設けられた複数の切り込み列と、を備え、
前記各切り込み列は、前記縦方向に対して間隔をあけて設けられた複数の切り込み部を備え、
前記弾性部材の収縮力により前記表面シートが部分的に前記縦方向に収縮されることによって、前記表面シートが変形されて３次元的な凹凸構造が形成されるとともに、前記各切り込み部が開かれて複数の開口部が形成され、
前記各切り込み部は、頂点部分が前記縦方向を向けられた略山形の形状を有し、
前記弾性部材の収縮力により前記表面シートが部分的に前記縦方向に収縮されるのに伴って前記各切り込み部の内側部分が肌面側又は外面側に変位されることによって、前記複数の開口部及び前記３次元的な凹凸構造が形成されることを特徴とする吸収性物品。
【請求項２】
請求項１に記載の吸収性物品において、
前記内装材は、前記吸収コアの肌面側に配置されたトップシートをさらに備え、
前記表面シートは、前記トップシートの肌面側表面に付与されていることを特徴とする吸収性物品。
【請求項３】
請求項１に記載の吸収性物品において、
前記内装材は、
前記吸収コアの肌面側に配置され、穴あき部を有するトップシートをさらに備え、
前記表面シートは前記トップシートと前記吸収コアとの間に配置され、前記表面シートの前記複数の弾性部材及び前記複数の切り込み列が設けられた部分が前記トップシートの前記穴あき部を介して肌面側に露出されることを特徴とする吸収性物品。
【請求項４】
請求項１に記載の吸収性物品において、
前記表面シートは、前記吸収コアの肌面側に配置されたトップシートであることを特徴とする吸収性物品。
【請求項５】
着用者の股部を含む領域に装着される吸収性物品であって、
排泄物を吸収する吸収コアと、
前記吸収コアの外面側に設けられる外装材と、
前記吸収コアの肌面側に設けられ、前記吸収コアと対向する部分の少なくとも一部は透液性を有する内装材と、
を備え、
前記内装材は、少なくとも一部の領域が肌面側に露出された表面シートを備え、
前記表面シートの肌面側に露出された領域の少なくとも一部は、
前記縦方向に沿って伸張された状態で前記表面シートに付与され、かつ前記縦方向に直交する横方向に間隔をあけて配置された複数の弾性部材と、
前記表面シートにおける隣接する前記弾性部材の間に設けられた複数の切り込み列と、を備え、
前記各切り込み列は、前記縦方向に対して間隔をあけて設けられた複数の切り込み部を備え、
前記弾性部材の収縮力により前記表面シートが部分的に前記縦方向に収縮されることによって、前記表面シートが変形されて３次元的な凹凸構造が形成されるとともに、前記各切り込み部が開かれて複数の開口部が形成され、
前記内装材は、前記吸収コアの肌面側に配置されたトップシートをさらに備え、
前記表面シートは、前記トップシートの肌面側表面に付与されていることを特徴とする吸収性物品。
【請求項６】
着用者の股部を含む領域に装着される吸収性物品であって、
排泄物を吸収する吸収コアと、
前記吸収コアの外面側に設けられる外装材と、
前記吸収コアの肌面側に設けられ、前記吸収コアと対向する部分の少なくとも一部は透液性を有する内装材と、
を備え、
前記内装材は、少なくとも一部の領域が肌面側に露出された表面シートを備え、
前記表面シートの肌面側に露出された領域の少なくとも一部は、
前記縦方向に沿って伸張された状態で前記表面シートに付与され、かつ前記縦方向に直交する横方向に間隔をあけて配置された複数の弾性部材と、
前記表面シートにおける隣接する前記弾性部材の間に設けられた複数の切り込み列と、を備え、
前記各切り込み列は、前記縦方向に対して間隔をあけて設けられた複数の切り込み部を備え、
前記弾性部材の収縮力により前記表面シートが部分的に前記縦方向に収縮されることによって、前記表面シートが変形されて３次元的な凹凸構造が形成されるとともに、前記各切り込み部が開かれて複数の開口部が形成され、
前記内装材は、
前記吸収コアの肌面側に配置され、穴あき部を有するトップシートをさらに備え、
前記表面シートは前記トップシートと前記吸収コアとの間に配置され、前記表面シートの前記複数の弾性部材及び前記複数の切り込み列が設けられた部分が前記トップシートの前記穴あき部を介して肌面側に露出されることを特徴とする吸収性物品。
【請求項７】
請求項５又は請求項６に記載の吸収性物品であって、
前記各切り込み部は、前記横方向に間隔をあけ、かつ前記縦方向に沿って設けられた２つのスリットを備え、
前記弾性部材の収縮力により前記表面シートが部分的に前記縦方向に収縮されるのに伴って前記各切り込み部の前記２つのスリットの間の部分が略弓状に変形することによって、前記複数の開口部及び前記３次元的な凹凸構造が形成されることを特徴とする吸収性物品。
【請求項８】
請求項５又は請求項６に記載の吸収性物品であって、
前記各切り込み部は、頂点部分が前記縦方向を向けられた略山形の形状を有し、
前記弾性部材の収縮力により前記表面シートが部分的に前記縦方向に収縮されるのに伴って前記各切り込み部の内側部分が肌面側又は外面側に変位されることによって、前記複数の開口部及び前記３次元的な凹凸構造が形成されることを特徴とする吸収性物品。
【請求項９】
請求項１又は請求項８に記載の吸収性物品において、
前記表面シートにおける前記各切り込み部の前記内側部分の自由端側の部分が、該吸収性物品における前記表面シートの外面側に位置する部材に接合されていることを特徴とする吸収性物品。
【請求項１０】
請求項１ないし請求項９のいずれかに記載の吸収性物品において、
前記表面シートは、透液性の不織布で構成されることを特徴とする吸収性物品。
【請求項１１】
請求項１ないし請求項９のいずれかに記載の吸収性物品において、
前記表面シートは、撥水性の不織布で構成されることを特徴とする吸収性物品。
【請求項１２】
着用者の股部を含む領域に装着される吸収性物品に付与される表面ライナーであって、
基材シートと、
縦方向に沿って伸張された状態で前記基材シートに付与され、かつ前記縦方向に直交する横方向に間隔をあけて配置された複数の弾性部材と、
前記基材シートにおける隣接する前記弾性部材の間に設けられた複数の切り込み列と、を備え、
前記各切り込み列は、前記縦方向に対して間隔をあけて設けられた複数の切り込み部を備え、
前記弾性部材の収縮力により前記基材シートが部分的に前記縦方向に収縮されることによって、前記基材シートが変形されて３次元的な凹凸構造が形成されるとともに、前記各切り込み部が開かれて複数の開口部が形成され、
前記各切り込み部は、頂点部分が前記縦方向を向けられた略山形の形状を有し、
前記弾性部材の収縮力により前記基材シートが部分的に前記縦方向に収縮されるのに伴って前記各切り込み部の内側部分が肌面側又は外面側に変位されることによって、前記複数の開口部及び前記３次元的な凹凸構造が形成されることを特徴とする表面ライナー。
【請求項１３】
請求項１２に記載の表面ライナーであって、
前記基材シートに設けられ、前記吸収性物品に付着する付着部をさらに備えることを特徴とする表面ライナー。
【発明の詳細な説明】
【技術分野】
【０００１】
本発明は、着用者の股部を含む領域に装着される吸収性物品、その吸収性物品に付与される表面ライナーに関する。
【背景技術】
【０００２】
この種の吸収性物品では、着用者の排泄物が前後左右に広がってしまう場合がある。広がった排泄物は、吸収性物品の前後左右の縁部から外部に漏れる場合があるとともに、着用者の肌面の広範囲に付着してしまう。排泄物が肌面の広範囲に付着すると、吸収性物品の交換時の拭き取りに手間がかかり、吸収性物品の交換作業の負担が増える。特に、軟便（液状の便、又は液状の成分と固形成分と混じり合った便）の場合は、着用者の肌面と吸収性物品との間で広がりやすいとともに、肌面の広範囲に付着すると拭き取りの負担が大きい。
【０００３】
また、吸収性物品は左右方向（横方向）の幅よりも前後方向（縦方向）の幅の方が大きいため、軟便等の排泄物が前後方向に広がった場合には、非常に広範囲において排泄物の拭き取りが必要となる。このため、軟便等の排泄物の前後方向の広がりを抑制できれば、拭き取り作業の負担軽減の効果が大きい。ここで、軟便等の排泄物が前後方向（縦方向）に広がりやすい理由としては、次の点が挙げられる。一つは、着用者の臀部に吸収性物品をあてたときに、吸収性物品に縦方向に沿って延びる凹凸部が形成されやすく、その凹凸部に沿って排泄物が移動しやすい点が挙げられる。もう一つは、排泄物の左右方向（横方向）への広がりは立体ギャザー等で抑制できるが、排泄物の前後方向への広がりを抑制するための有効な手段がなかなか存在しなかった点が挙げられる。
【０００４】
一方、従来の吸収性物品として、複数の開口が設けられたトップシートを有するものが提案されている（特許文献１）。この特許文献１では、吸収性物品が着用者に装着されたときに付与される張力によって、トップシートの開口が開くようになっている。そして、着用者の排泄物が前記開口を介してトップシートの外面側に通過し、トップシートの外面側で捕捉されるようになっている。
【特許文献１】特表２００２−５２８１７４号公報
【発明の開示】
【発明が解決しようとする課題】
【０００５】
しかしながら、上述の特許文献１では、トップシートには複数の開口部が形成されるのみであるため、排泄物が広がるのを積極的に抑制するための構成がない。このため、排泄物が広がるのを止められない。
【０００６】
そこで、本発明の解決すべき課題は、排泄物が広がるのを抑制するとともに、排泄物を確実に捕捉することができる吸収性物品及び表面ライナーを提供することである。
【課題を解決するための手段】
【０００７】
上記の課題を解決するため、上記の課題を解決するため、請求項１の発明では、着用者の股部を含む領域に装着される吸収性物品であって、排泄物を吸収する吸収コアと、前記吸収コアの外面側に設けられる外装材と、前記吸収コアの肌面側に設けられ、前記吸収コアと対向する部分の少なくとも一部は透液性を有する内装材とを備え、前記内装材は、少なくとも一部の領域が肌面側に露出された表面シートを備え、前記表面シートの肌面側に露出された領域の少なくとも一部は、前記縦方向に沿って伸張された状態で前記表面シートに付与され、かつ前記縦方向に直交する横方向に間隔をあけて配置された複数の弾性部材と、前記表面シートにおける隣接する前記弾性部材の間に設けられた複数の切り込み列とを備え、前記各切り込み列は、前記縦方向に対して間隔をあけて設けられた複数の切り込み部を備え、前記弾性部材の収縮力により前記表面シートが部分的に前記縦方向に収縮されることによって、前記表面シートが変形されて３次元的な凹凸構造が形成されるとともに、前記各切り込み部が開かれて複数の開口部が形成され、前記各切り込み部は、頂点部分が前記縦方向を向けられた略山形の形状を有し、前記弾性部材の収縮力により前記表面シートが部分的に前記縦方向に収縮されるのに伴って前記各切り込み部の内側部分が肌面側又は外面側に変位されることによって、前記複数の開口部及び前記３次元的な凹凸構造が形成される。
また、請求項２の発明では、請求項１の発明に係る吸収性物品において、前記内装材は、前記吸収コアの肌面側に配置されたトップシートをさらに備え、前記表面シートは、前記トップシートの肌面側表面に付与されている。
また、請求項３の発明では、請求項１の発明に係る吸収性物品において、前記内装材は、前記吸収コアの肌面側に配置され、穴あき部を有するトップシートをさらに備え、前記表面シートは前記トップシートと前記吸収コアとの間に配置され、前記表面シートの前記複数の弾性部材及び前記複数の切り込み列が設けられた部分が前記トップシートの前記穴あき部を介して肌面側に露出される。
また、請求項４の発明では、請求項１の発明に係る吸収性物品において、前記表面シートは、前記吸収コアの肌面側に配置されたトップシートである。
また、請求項５の発明では、着用者の股部を含む領域に装着される吸収性物品であって、排泄物を吸収する吸収コアと、前記吸収コアの外面側に設けられる外装材と、前記吸収コアの肌面側に設けられ、前記吸収コアと対向する部分の少なくとも一部は透液性を有する内装材とを備え、前記内装材は、少なくとも一部の領域が肌面側に露出された表面シートを備え、前記表面シートの肌面側に露出された領域の少なくとも一部は、前記縦方向に沿って伸張された状態で前記表面シートに付与され、かつ前記縦方向に直交する横方向に間隔をあけて配置された複数の弾性部材と、前記表面シートにおける隣接する前記弾性部材の間に設けられた複数の切り込み列とを備え、前記各切り込み列は、前記縦方向に対して間隔をあけて設けられた複数の切り込み部を備え、前記弾性部材の収縮力により前記表面シートが部分的に前記縦方向に収縮されることによって、前記表面シートが変形されて３次元的な凹凸構造が形成されるとともに、前記各切り込み部が開かれて複数の開口部が形成され、前記内装材は、前記吸収コアの肌面側に配置されたトップシートをさらに備え、前記表面シートは、前記トップシートの肌面側表面に付与されている。
また、請求項６の発明では、着用者の股部を含む領域に装着される吸収性物品であって、排泄物を吸収する吸収コアと、前記吸収コアの外面側に設けられる外装材と、前記吸収コアの肌面側に設けられ、前記吸収コアと対向する部分の少なくとも一部は透液性を有する内装材とを備え、前記内装材は、少なくとも一部の領域が肌面側に露出された表面シートを備え、前記表面シートの肌面側に露出された領域の少なくとも一部は、前記縦方向に沿って伸張された状態で前記表面シートに付与され、かつ前記縦方向に直交する横方向に間隔をあけて配置された複数の弾性部材と、前記表面シートにおける隣接する前記弾性部材の間に設けられた複数の切り込み列とを備え、前記各切り込み列は、前記縦方向に対して間隔をあけて設けられた複数の切り込み部を備え、前記弾性部材の収縮力により前記表面シートが部分的に前記縦方向に収縮されることによって、前記表面シートが変形されて３次元的な凹凸構造が形成されるとともに、前記各切り込み部が開かれて複数の開口部が形成され、前記内装材は、前記吸収コアの肌面側に配置され、穴あき部を有するトップシートをさらに備え、前記表面シートは前記トップシートと前記吸収コアとの間に配置され、前記表面シートの前記複数の弾性部材及び前記複数の切り込み列が設けられた部分が前記トップシートの前記穴あき部を介して肌面側に露出される。
また、請求項７の発明では、請求項５又は請求項６の発明に係る吸収性物品であって、前記各切り込み部は、前記横方向に間隔をあけ、かつ前記縦方向に沿って設けられた２つのスリットを備え、前記弾性部材の収縮力により前記表面シートが部分的に前記縦方向に収縮されるのに伴って前記各切り込み部の前記２つのスリットの間の部分が略弓状に変形することによって、前記複数の開口部及び前記３次元的な凹凸構造が形成される。
また、請求項８の発明では、請求項５又は請求項６の発明に係る吸収性物品であって、前記各切り込み部は、頂点部分が前記縦方向を向けられた略山形の形状を有し、前記弾性部材の収縮力により前記表面シートが部分的に前記縦方向に収縮されるのに伴って前記各切り込み部の内側部分が肌面側又は外面側に変位されることによって、前記複数の開口部及び前記３次元的な凹凸構造が形成される。
また、請求項９の発明では、請求項１又は請求項８の発明に係る吸収性物品において、前記表面シートにおける前記各切り込み部の前記内側部分の自由端側の部分が、該吸収性物品における前記表面シートの外面側に位置する部材に接合されている。
また、請求項１０の発明では、請求項１ないし請求項９のいずれかの発明に係る吸収性物品において、前記表面シートは、透液性の不織布で構成される。
また、請求項１１の発明では、請求項１ないし請求項９のいずれかの発明に係る吸収性物品において、前記表面シートは、撥水性の不織布で構成される。
また、請求項１２の発明では、着用者の股部を含む領域に装着される吸収性物品に付与される表面ライナーであって、基材シートと、縦方向に沿って伸張された状態で前記基材シートに付与され、かつ前記縦方向に直交する横方向に間隔をあけて配置された複数の弾性部材と、前記基材シートにおける隣接する前記弾性部材の間に設けられた複数の切り込み列とを備え、前記各切り込み列は、前記縦方向に対して間隔をあけて設けられた複数の切り込み部を備え、前記弾性部材の収縮力により前記基材シートが部分的に前記縦方向に収縮されることによって、前記基材シートが変形されて３次元的な凹凸構造が形成されるとともに、前記各切り込み部が開かれて複数の開口部が形成され、前記各切り込み部は、頂点部分が前記縦方向を向けられた略山形の形状を有し、前記弾性部材の収縮力により前記基材シートが部分的に前記縦方向に収縮されるのに伴って前記各切り込み部の内側部分が肌面側又は外面側に変位されることによって、前記複数の開口部及び前記３次元的な凹凸構造が形成される。
また、請求項１３の発明では、請求項１２の発明に係る表面ライナーであって、前記基材シートに設けられ、前記吸収性物品に付着する付着部をさらに備える。
【発明の効果】
【００１８】
請求項１、請求項５及び請求項６に記載の発明によれば、吸収性物品の肌面側に設けられた表面シートに形成された３次元的な凹凸構造によって排泄物が広がるのを効果的に堰き止めつつ、３次元構造の凹部及び表面シートに形成された複数の開口部によって排泄物を効果的に捕捉できる。その結果、軟便等の排泄物が着用者の肌面の広範囲に付着するのを防止でき、排泄物の拭き取り作業の負担を軽減できる。
【００１９】
また、排泄物を表面シートの３次元的な凹凸構造によって堰き止めることにより、排泄物の液体成分を吸収コアにより素早くかつ確実に捕捉できる。これによって、排泄物の漏れについてもより確実に防止できる。
【００２０】
また、複数の弾性部材及び複数の切り込み列が設けられた表面シートを弾性部材の収縮力により収縮させるだけで、表面シートに複数の開口部及び３次元的な凹凸構造が形成されるため、３次元的な凹凸構造を形成するために表面シートに複雑な加工を施す必要がない。
【００２１】
また、複数の弾性部材及び複数の切り込み列の構成等を変更することにより、開口部及び３次元的な凹凸構造の形態を容易に変更できる。
【００２２】
請求項７に記載の発明によれば、弾性部材の収縮力により表面シートが部分的に縦方向に収縮されるのに伴って各切り込み部の２つのスリットの間の部分が略弓状に変形することによって、複数の開口部及び３次元的な凹凸構造が形成される。それ故、簡単な構成により、複数の開口部及び３次元的な凹凸構造を表面シートに形成できる。
【００２３】
また、表面シートに形成された各切り込み部の２つのスリットの間の部分が、縦方向を向くようにして隆起するため、この隆起部によって、軟便に含まれる流動性の高い液体成分の縦方向への流れを効果的に阻止できる。
【００２４】
請求項１及び請求項８に記載の発明によれば、弾性部材の収縮力により表面シートが部分的に縦方向に収縮されるのに伴って各切り込み部の内側部分が肌面側又は外面側に変位されることによって、複数の開口部及び３次元的な凹凸構造が形成される。それ故、簡単な構成により、複数の開口部及び３次元的な凹凸構造を表面シートに形成できる。
【００２５】
また、表面シートに形成された各切り込み部の内側部分が縦方向を向くようにして立ち上がるため、その立ち上がった部分によって、軟便に含まれる流動性の高い液体成分の縦方向（前後方向）への流れを効果的に阻止できる。
【００２６】
請求項９に記載の発明によれば、表面シートにおける各切り込み部の内側部分の自由端側の部分が、吸収性物品における表面シートの外面側に位置する部材に接合されているため、弾性部材の収縮に伴って外面側に変位した切り込み部の内側部分の起立姿勢を確実に保持できる。このため、表面シートの外面側の部材と接合された切り込み部の内側部分によって、表面シートの外面側に誘導された軟便等の排泄物をより確実に堰き止めることができる。
【００２７】
また、弾性部材の収縮力により表面シートが部分的に縦方向に収縮されて、表面シートの複数の弾性部材が設けられた部分が表面シートの外面側に位置する部材から肌面側に浮き上がった際に、各切り込み部の内側部分が外面側の部材と接合されているため、表面シートとその外面側の部材との間に適度な隙間が形成される。これによって、開口部を介して表面シートの外面側に誘導された軟便等の収容能力を向上できる。
【００２８】
請求項１０に記載の発明によれば、表面シートが透液性の不織布で構成されているため、排泄物中の液体成分を素早く表面シートの外面側に透過させることができる。これによって、排泄物の拡散を抑制し、排泄物が着用者の肌面に付着する面積を抑制できる。
【００２９】
請求項１１に記載の発明によれば、表面シートが撥水性の不織布で構成されているため、一旦表面シートの外面側に誘導された排泄物の液体成分が表面シートを透過して肌面側に逆戻りするのを抑制できる。これによって、逆戻りした排泄物の液体成分が着用者の肌に付着して不快感を与えるのを防止できる。
【００３０】
請求項２及び請求項５に記載の発明によれば、表面シートがトップシートの肌面側に付与されているため、表面シートの３次元的な凹凸構造及び複数の開口部によって排泄物の拡散を的確に阻止できる。
【００３１】
請求項３及び請求項６に記載の発明によれば、表面シートがトップシートと吸収コアとの間に配置されているため、表面シートの剥離又は脱落が生じるのを防止できる。
【００３２】
請求項４に記載の発明によれば、表面シートがトップシートを兼ねているため、吸収性物品を構成する部材の増加を抑制でき、製造工程の簡略化及び製造コストの低減が図れる。
【００３３】
請求項１２に記載の発明によれば、本発明に係る表面ライナーを吸収性物品に付与することにより、請求項１に記載の発明とほぼ同様な効果が得られる。
【００３４】
請求項１３に記載の発明によれば、付着部により本発明に係る表面ライナーを吸収性物品に確実に装着することができる。
【発明を実施するための最良の形態】
【００３５】
［第１実施形態］
図１は本発明の第１実施形態に係る吸収性物品の肌面側から見た図であり、図２は図１のＡ１−Ａ１線に沿った断面図であり、図３はその吸収性物品に備えられる表面シート（トップシート）の肌面側から見た図であり、図４は図２の一部を拡大して示す図であり、図５は図３の一部を拡大して示す斜視図であり、図６（ａ）は表面シートの伸張状態にある収縮区間の構成を示す図であり、図６（ｂ）は表面シートの伸張状態にある収縮区間の構成を示す図である。
【００３６】
なお、以下では、着用者の股部を覆うように吸収性物品１が装着されたときに、着用者の股部の前後方向に対応する吸収性物品１の方向（図１の縦方向）を「前後方向Ｙ」（縦方向）といい、着用者によって左右方向に対応する吸収性物品１の方向（図１の横方向）を「左右方向Ｘ」（横方向）という。また、着用者の股部の前方側（腹側）に対応する吸収性物品１の側を「前方側」といい、着用者の股部の後方側（後側）に対応する吸収性物品１の側を「後方側」という。図１においては、図中の上側が吸収性物品１の前方側となる。
【００３７】
図１及び図２に示す吸収性物品１は、使い捨ておむつとして用いられるものであり、トップシートを構成する表面シート１１に、複数の開口部１２及び３次元的な凹凸構造１３が形成されている。この開口部１２（図４及び図５参照）及び凹凸構造１３の構成については後に詳述する。
【００３８】
吸収性物品１は、大略的に、前後方向（縦方向）Ｙに延びた吸収体１４を、トップシートである表面シート１１とバックシート１５とで挟んだ構造を有している。これにより、肌面側から表面シート１１、吸収体１４、バックシート１５の順で、これらは積層して配置される（図２参照）。このような積層構造により、排泄物の液体成分は、表面シート１１の開口部１２を通過又は表面シート１１を透過し、吸収体１４に吸収され、かつ、バックシート１５によって外部への染み出しが防止される。なお、本発明に係る内装材には表面シート１１及び後述するサイドシート１７が相当し、外装材にはバックシート１５が相当している。
【００３９】
表面シート１１は、吸収性物品１の肌面側における左右方向Ｘの中央部に、前後方向Ｙに沿って配置される。この表面シート１１の構成については後述する。
【００４０】
吸収体１４としては、例えば、粉砕したパルプ繊維やセルロース繊維等の親水性繊維集合層に粒状の高分子吸収体を混合してなる吸収コアを、ティッシュペーパー等の紙シートあるいは透液性不織布シート等の被覆シートで包み、所定の形状（長方形、砂時計型、ひょうたん型等）に成形したものが挙げられる。
【００４１】
バックシート１５は、吸収体１４で吸収された尿等が外側にしみ出すのを防ぐため、撥水性のシート材料又は液不透過性のシート材料を用いて形成される。例えば、通常使い捨ておむつに使用される撥水性不織布材料（スパンボンド不織布、メルトブロー不織布、ＳＭＳ不織布等）、あるいはプラスチックフィルム（通気性のものでも、非通気性のものでもよいが、より快適な態様としては通気性プラスチックフィルムが望ましい）、あるいはそれらを貼り合わせたものが用いられる。本実施形態では、バックシート１５は、通気性プラスチックフィルムと、その通気性プラスチックフィルムの外面側に貼り合わされた不織布（例えば撥水性不織布）によって構成されている。
【００４２】
また、吸収性物品１の肌面側における左右方向Ｘの両側には、前後方向Ｙに沿って表面シート１１に重ねて左右のサイドシート１７が設けられている。このサイドシート１７の中央側の端部には糸ゴム１８が配されており、この糸ゴム１８の収縮によってサイドシート１７の一部が肌面側に向かって立ち上がり、サイド立体ギャザーとして機能する。このサイド立体ギャザーにより排泄物の横漏れが防止される。サイドシート１７の素材としては、撥水性の不織布、又は撥水性の不織布と不透液性のプラスチックフィルムとを貼り合わせたものなどが挙げられる。
【００４３】
次に、表面シート１１の構成について説明する。表面シート１１は、図３ないし図５、図６（ａ）及び図６（ｂ）に示すように、前後方向Ｙに長い長方形の外形形状を有するシート状の部材であり、前後方向Ｙに沿って複数の弾性部材２１及び複数の切り込み列２２が設けられている。これらの弾性部材２１及び切り込み列２２は、表面シート１１における後方側に片寄った区間２３（着用者の臀部にあてがわれる領域）に形成されている。以後、この区間２３を収縮区間という。これによって、表面シート１１の複数の開口部１２及び凹凸構造１３が着用者の腹部に接触し、着用者が違和感を感じるのが防止される。
【００４４】
図６（ａ）に基づいて、表面シート１１の収縮区間２３が収縮する前の状態（伸張されている状態）の収縮区間２３の構成について説明する。図６（ａ）に示すように、複数の弾性部材２１は、糸状又は帯状の形態を有し、表面シート１１の収縮区間２３内において、左右方向Ｘに間隔をあけて、かつ、前後方向Ｙに沿って伸張された状態で表面シート１１に付与されている。
【００４５】
例えば、表面シート１１は貼り合わされた２枚のシート材料により形成され、弾性部材２１がその２枚のシート材料の間に挟み込まれる。弾性部材２１の材料としては、通常の使い捨ておむつに使用される弾性伸縮材料（例えば、ポリウレタン糸、ポリウレタンフィルム、天然ゴム等）が用いられる。弾性部材２１の表面シート１１との接着は、伸張状態にあるときにホットメルト接着剤、熱溶着、超音波溶着等の貼着手段を用いて行われる。
【００４６】
複数の切り込み列２２は、図６（ａ）に示すように、表面シート１１の収縮区間２３における隣接する弾性部材２１の各間の領域に前後方向Ｙに沿ってそれぞれ設けられている。各切り込み列２２は、前後方向Ｙに対して間隔をあけて設けられた複数の切り込み部２４を備えている。そして、その各切り込み部２４は、左右方向Ｘに間隔をあけ、かつ前後方向Ｙに沿って略直線状に設けられた２つのスリット２５を備えている。
【００４７】
このような表面シート１１の収縮区間２３の構成により、表面シート１１に対して前後方向Ｙの張力が付与されている場合には、その張力により伸張状態にある弾性部材２１の収縮が阻止され、収縮区間２３が前後方向Ｙに伸張された平坦な状態に保持される。
【００４８】
しかし、その張力が解除されるのに伴って、図４、図５及び図６（ｂ）に示すように、弾性部材２１が収縮力により表面シート１１の収縮区間２３が部分的に前後方向Ｙに収縮される。これによって、各切り込み部２４の２つのスリット２５の間の部分２５ａが、開かれるるとともに、肌面側に立ち上がるように略弓状に変形する（以後、２つのスリット２５の間の部分２５ａを隆起部２５ａという）。その結果、収縮区間２３内に複数の開口部１２及び３次元的な凹凸構造１３が形成される。
【００４９】
凹凸構造１３の凹部は表面シート１１の平坦な部分によって構成され、凸部は、表面シート１１のその平坦な部分から肌面側に立ち上がったスリット２５の間の隆起部２５ａによって構成される。この隆起部２５ａは、前後方向Ｙの前側又は後側を向くようにして隆起するため、軟便に含まれる流動性の高い液体成分の前後方向Ｙへの流れを効果的に阻止することができる。なお、この開口部１２及び凹凸構造１３は、収縮区間２３が元の状態に伸張された場合には解消される。
【００５０】
このような表面シート１１は、例えば透液性の不織布を用いて形成される。その不織布材料としては、親水性繊維（セルロース、レーヨン、コットン等）を用いて形成されたポイントボンド不織布、エアースルー不織布、又はスパンレース不織布等が用いられる。あるいは、疎水性繊維（ポリプロピレン、ポリエチレン、ポリエステル、ポリアミド、ナイロン（商標）等）の表面を界面活性剤により処理して透水性とした不織布材料などを用いてもよい。
【００５１】
次に、表面シート１１の製造工程について簡単に説明する。まず、表面シート１１が前後方向Ｙに連続してなる連続体を、その収縮区間２３に対応する各部分に複数の弾性部材２１を伸張状態で挟み込むことにより形成する。続いて、弾性部材２１の伸張状態を維持しつつ、その連続体の収縮区間２３に対応する部分にカッターにより複数の切り込み列２２を形成する。続いて、その連続体を表面シート１１に対応する長さごとに切断し、それによって得られた表面シート１１を、おむつ本体の製造ラインに導入し、おむつ本体の肌面側にサイドシート１７と共に付与する。収縮区間２３は、切り込み列２２の形成後から表面シート１１がおむつ本体に付与されるまでのいずれかの工程で、図６（ａ）に示す伸張状態から図６（ｂ）等に示す収縮状態に移行される。すなわち、表面シート１１は、収縮区間２３が収縮された状態で、おむつの他の構成部材（例えば、吸収体１４及びバックシート１５）に接合される。
【００５２】
このように複数の開口部１２及び３次元的な凹凸構造１３が構成された表面シート１１は、吸収体１４及びバックシート１５の積層構造よりも肌面側に位置して、表面に露出することになる。また、収縮区間２３は、着用者を基準として表面シート１１のやや後側に片寄った位置に設けられている。このため、表面シート１１に形成される複数の開口部１２及び３次元的な凹凸構造１３によって、着用者の腹部に不快感を与えることなく、着用者の軟便等の排泄物を確実に受け止めることができる。
【００５３】
この吸収性物品１の機能等について、この吸収性物品１の使用時に軟便等の液体成分と固定成分とを含む緩い排泄物が排泄された場合を例に説明する。このような緩い排泄物は、液体成分と固形成分とが混在した状態で流動しやすいため、吸収性物品１の前後方向Ｙへの拡散が特に問題となりやすい。
【００５４】
そこで、この吸収性物品１では、トップシートを構成する表面シート１１に複数の開口部１２及び３次元的な凹凸構造１３を設けることにより、緩い排泄物の拡散を抑制できるようになっている。すなわち、排泄物は、表面シート１１の複数の開口部１２及び３次元的な凹凸構造１３が付与された収縮区間２３により受け止められる。このとき、排泄物の流動成分は、凹凸構造１３を形成する隆起部２５ａにより、前後左右への広がりが効果的に堰き止められつつ、凹凸構造１３の凹部及び開口部１２により保持される。
【００５５】
また、表面シート１１の開口部１２を介して、あるいは表面シート１１を透過して表面シート１１の外面側に誘導された排泄物は、その液体成分が吸収体１４によって吸収されるとともに、その固形成分が表面シート１１と吸収体１４との間に確実に保持される。
【００５６】
特に、本実施形態に係る構成では、隆起部２５ａが前後方向Ｙの前側又は後側を向くようにして隆起するため、軟便に含まれる流動性の高い液体成分の前後方向Ｙへの流れを効果的に阻止できるようになっている。
【００５７】
以上のように、本実施形態によれば、吸収性物品１の肌面側に設けられた表面シート１１に形成された３次元的な凹凸構造１３によって、排泄物が広がるのを効果的に抑制できる。その結果、軟便等の排泄物が着用者の肌面の広範囲に付着するのを防止でき、排泄物の拭き取り作業の負担を軽減できる。
【００５８】
また、排泄物を３次元的な凹凸構造１３によって堰き止めることにより、排泄物の液体成分を吸収体１４により素早くかつ確実に捕捉できる。これによって、排泄物の漏れについてもより確実に防止できる。
【００５９】
また、複数の弾性部材２１及び複数の切り込み列２２が設けられた表面シート１１を弾性部材２１の収縮力により収縮させるだけで、表面シート１１に複数の開口部１２及び３次元的な凹凸構造１３が形成されるため、３次元的な凹凸構造１３を形成するために表面シート１１に複雑な加工を施す必要がない。
【００６０】
また、複数の弾性部材２１及び複数の切り込み列２２の構成等を変更することにより、開口部１２及び３次元的な凹凸構造１３の形態を容易に変更できる。
【００６１】
また、表面シート１１に形成された各切り込み部２４の２つのスリット１５によって、前後方向Ｙの前側又は後側を向くようにして隆起する隆起部２５ａが形成されるため、この隆起部２５ａによって、軟便に含まれる流動性の高い液体成分の前後方向Ｙへの流れを効果的に阻止できる。
【００６２】
また、表面シート１１が透液性の不織布で構成されているため、排泄物中の液体成分を素早く表面シート１１の外面側に透過させることができる。これによって、排泄物の拡散を抑制し、排泄物が着用者の肌面に付着する面積を抑制できる。
【００６３】
また、３次元的な凹凸構造１３等が設けられた表面シート１１がトップシートを兼ねているため、吸収性物品１を構成する部材の増加を抑制でき、製造工程の簡略化及び製造コストの低減が図れる。
【００６４】
なお、本実施形態に係る吸収性物品１では、３次元的な凹凸構造１３等を有する表面シート１１がトップシートを兼ねた構成としたが、表面シート１１をトップシートと別部材の構成としてもよい。
【００６５】
例えば、図７に示すように、表面シート１１をトップシート１９の肌面側に接合する構成が挙げられる。あるいは、図８に示すように、トップシート１９の前後方向Ｙの後よりの領域に穴あき部１９ａを設けるとともに、表面シート１１をトップシート１９の外面側に接合する構成が挙げられる。この図８の構成では、表面シート１１はトップシート１９と吸収体１４との間に配置され、表面シート１１に形成された複数の開口部１２及び３次元的な凹凸構造１３がトップシートの穴あき部１９ａを介して吸収性物品１の肌面側に露出する。この構成では、表面シート１１がトップシート１９と吸収体１４との間に配置されているため、表面シート１１の剥離又は脱落が生じるのを防止できる。
【００６６】
［第２実施形態］
図９は本発明の第２実施形態に係る吸収性物品の肌面側から見た図であり、図１０はその吸収性物品に備えられる表面シート（トップシート）等の肌面側から見た構成を示す図であり、図１１は図９のＡ２−Ａ２線に沿った断面の構成を部分的に拡大して示す図であり、図１２は図１０のＡ３−Ａ３線に沿った断面の構成を部分的に拡大して示す図であり、図１３は図１０の一部を拡大して示す斜視図であり、図１４（ａ）は表面シートの伸張状態にある収縮区間の構成等を示す図であり、図１４（ｂ）は表面シートの伸張状態にある収縮区間の構成等を示す図である。
【００６７】
なお、本実施形態に係る吸収性物品１ａが上述の第１実施形態に係る吸収性物品１と実質的に異なる点は、複数の開口部１２及び３次元的な凹凸構造１３を形成するために表面シート１１に設けられる構成が異なる点のみであり、互いに対応する部分には同一の参照符号を付して説明を省略する。
【００６８】
本実施形態に係る吸収性物品１ａにおいても、図９ないし図１３、図１４（ａ）及び図１４（ｂ）に示すように、表面シート１１の収縮区間２３に複数の開口部１２及び３次元的な凹凸構造１３を形成するための構成が設けられている。
【００６９】
まず図１４（ａ）に基づいて、表面シート１１の収縮区間２３が収縮する前の状態（伸張されている状態）の収縮区間２３の構成について説明する。図１４（ａ）に示すように、表面シート１１の収縮区間２３内には、複数の弾性部材３１及び複数の切り込み列３２が設けられている。複数の弾性部材３１は、糸状又は帯状の形態を有し、表面シート１１の収縮区間２３内において、左右方向Ｘに間隔をあけて、かつ、前後方向Ｙに沿って伸張された状態で表面シート１１に付与されている。なお、弾性部材３１の材料及び表面シート１１への挟込み構造等は、上述の第１実施形態の場合とほぼ同様である。
【００７０】
複数の切り込み列３２は、図１４（ａ）に示すように、表面シート１１の収縮区間２３における隣接する弾性部材３１の各間の領域に前後方向Ｙに沿ってそれぞれ設けられている。各切り込み列３２は、前後方向Ｙに対して間隔をあけて設けられた複数の切り込み部３４を備えている。そして、その各切り込み部２４は、頂点部分３４ａが前後方向Ｙの前側又は後側（図１４（ａ）等に示す例では後側）を向けられた略山形の形状を有している。さらに、表面シート１１における各切り込み部３４の内側に位置する内側部分によって構成される起立部３５の自由端側の部分である先端部３５ａ（図１４（ａ）の破線によるハッチングを施した部分）に、起立部３５の接合用の接着剤（例えば、ホットメルト接着剤）が塗布される。
【００７１】
このような収縮区間２３の構成により、表面シート１１に対する前後方向Ｙの張力が解除され、弾性部材３１が収縮するのに伴って、図９ないし図１３及び図１４（ｂ）に示すように、弾性部材３１が収縮力により表面シート１１の収縮区間２３が部分的に前後方向Ｙに収縮される。これによって、各切り込み部３４の内側部分である起立部３５が外面側に変位されることによって、複数の開口部１２及び３次元的な凹凸構造１３が形成される。この構成の場合、３次元的な凹凸構造１３の凸部は表面シート１１の平坦な部分（切り込み部３４の周辺部等）により構成され、凹部は弾性部材３１の収縮に伴って表面シート１１本体の外面側に変位された切り込み部３４の内側部分（起立部３５）により構成される。すなわち、切り込み部３４の内側部分は、開口部１２と凹凸構造１３の凹部を兼ねている。
【００７２】
そして、このように収縮区間２３が収縮されて表面シート１１が吸収体１４等と接合されるのに伴って、各起立部３５の先端部３５ａが表面シート１１の外面側に位置する部材（例えば、吸収体１４）に接合される。このとき、各起立部３５は前後方向Ｙの前側又は後側を向くようにして起立され、その起立された状態のままその先端部３５ａが吸収体１４等に接合される。
【００７３】
また、表面シート１１の収縮区間２３収縮されて収縮区間２３が表面シート１１の外面側に位置する部材（例えば、吸収体１４）から肌面側に浮き上がった際に、起立部３５の先端部３５ａがその外面側の部材と接合されているため、表面シート１１とその外面側の部材との間に適度な隙間が形成される。
【００７４】
このような構成により、本実施形態における上述の第１実施形態と構成が共通する部分については、第１実施形態とほぼ同様な効果が得られるとともに、本実施形態の特有の効果として以下の効果が得られる。
【００７５】
すなわち、本実施形態では、表面シート１１に形成された各切り込み部３４の内側部分である起立部３５が前後方向Ｙを向くようにして立ち上がるため、その起立部３５によって、軟便に含まれる流動性の高い液体成分の前後方向Ｙへの流れを効果的に阻止できる。
【００７６】
また、表面シート１１の各起立部３５の先端部３５ａが表面シート１１の外面側に位置する部材（例えば、吸収体１４）に接合されているため、起立部３５の起立姿勢を確実に保持できる。このため、表面シート１１の起立部３５によって、表面シート１１の外面側に誘導された軟便等の排泄物をより確実に堰き止めることができる。
【００７７】
また、収縮区間２３の収縮に伴い、表面シート１１とその外面側の部材（例えば、吸収体１４）との間に適度な隙間が形成されるため、開口部１２を介して表面シート１１の外面側に誘導された軟便等の収容能力を向上できる。
【００７８】
なお、本実施形態に係る表面シート１１についても、上述の図７及び図８に示す構成を採用してもよい。
【００７９】
また、上述の第１及び第２実施形態では表面シート１１を透液性の不織布で構成したが、表面シート１１を撥水性の不織布、あるいは透孔を有するプラスチックフィルムなどを用いて構成してもよい。この場合、一旦表面シート１１の外面側に誘導された排泄物の液体成分が表面シート１１を透過して肌面側に逆戻りするのを抑制できる。これによって、逆戻りした排泄物の液体成分が着用者の肌に付着して不快感を与えるのを防止できる。
【００８０】
［第３実施形態］
図１５は、本発明の第３実施形態に係る表面ライナーの肌面側から見た図である。本実施形態に係る表面ライナー４１は、弾性部材２１及び切り込み列２２の構成等については上述の第１実施形態に係る表面シート１１と構成が共通している。よって、表面ライナー４１の表面シート１１と構成が共通する部分には同一の参照符号を付して説明を省略する。
【００８１】
この表面ライナー４１は、使い捨ておむつ等の吸収性物品の軟便等の流動性の高い排泄物の捕集機能等を高めるために、吸収性物品の肌面側表面に装着されるものである。そのため、図１５に示すように、表面ライナー４１を構成する基材シート４２には、上述の表面シート１１の収縮区間２３と同様な構成を有する収縮区間２３が設けられている。これによって、その収縮区間２３が前後方向Ｙに収縮されることにより、表面ライナー４１に複数の開口部１２及び３次元的な凹凸構造１３が形成される。
【００８２】
また、基材シート４２の外面側表面における前後方向Ｙの両端部等には、表面ライナー４１を吸収性物品の肌面側表面に付着させるための付着部４３，４４が付与されている。この付着部４３，４４は、面ファスナーに用いられる複数のフックが設けられたシート状のフック材、又は、粘着シート等が用いられる。なお、付着部４３，４４を基材シート４２の前後方向Ｙにおける中間部の左右両側等にも設けてもよい。
【００８３】
そして、この表面ライナー４１を使用する際には、その収縮区間２３が収縮している状態で、付着部４３，４４を吸収性物品１の肌面側表面（例えば、トップシートの表面）に付着させる。これによって、軟便等の流動性の高い排泄物の広がりが表面ライナー４１によって効果的に堰き止められ、捕集される。
【００８４】
なお、本実施形態に係る表面ライナー４１の変形例として、上述の第２実施形態に係る表面シート１１の収縮区間２３と同様な構成の収縮区間２３を有する表面ライナーを構成してもよい。
【図面の簡単な説明】
【００８５】
【図１】本発明の第１実施形態に係る吸収性物品の肌面側から見た図である。
【図２】図１のＡ１−Ａ１線に沿った断面図である。
【図３】図１の吸収性物品に備えられる表面シート（トップシート）の肌面側から見た図である。
【図４】図２の一部を拡大して示す図である。
【図５】図３の一部を拡大して示す斜視図である。
【図６】（ａ）は表面シートの伸張状態にある収縮区間の構成を示す図であり、（ｂ）は表面シートの伸張状態にある収縮区間の構成を示す図である。
【図７】図３に示す表面シート等の構成の第１の変形例を示す図である。
【図８】図３に示す表面シート等の構成の第２の変形例を示す図である。
【図９】本発明の第２実施形態に係る吸収性物品の肌面側から見た図である。
【図１０】図９の吸収性物品に備えられる表面シート（トップシート）等の肌面側から見た構成を示す図である。
【図１１】図９のＡ２−Ａ２線に沿った断面の構成を部分的に拡大して示す図である。
【図１２】図１０のＡ３−Ａ３線に沿った断面の構成を部分的に拡大して示す図である。
【図１３】図１０の一部を拡大して示す斜視図である。
【図１４】（ａ）は表面シートの伸張状態にある収縮区間の構成等を示す図であり、（ｂ）は表面シートの伸張状態にある収縮区間の構成等を示す図である。
【図１５】本発明の第３実施形態に係る表面ライナーの肌面側から見た図である。
【符号の説明】
【００８６】
１，１ａ  吸収性物品、１１  表面シート、１２  開口部、１３  凹凸構造、１４  吸収体、１５  バックシート、１７  サイドシート、１８  糸ゴム、１９  トップシート、１９ａ  穴あき部、２１  弾性部材、２２  切り込み列、２３  収縮区間、２４  切り込み部、２５  スリット、２５ａ  隆起部、３１  弾性部材、３２  切り込み列、３４  切り込み部、３４ａ  頂点部分、３５  起立部、３５ａ  先端部、４１  表面ライナー、４２  基材シート、４３，４４  付着部、Ｘ  左右方向、Ｙ  前後方向。
【図１】
0004950808.tif 000002
【図２】
0004950808.tif 000003
【図３】
0004950808.tif 000004
【図４】
0004950808.tif 000005
【図５】
0004950808.tif 000006
【図６】
0004950808.tif 000007
【図７】
0004950808.tif 000008
【図８】
0004950808.tif 000009
【図９】
0004950808.tif 000010
【図１０】
0004950808.tif 000011
【図１１】
0004950808.tif 000012
【図１２】
0004950808.tif 000013
【図１３】
0004950808.tif 000014
【図１４】
0004950808.tif 000015
【図１５】
0004950808.tif 000016